【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
噴出時にジェルクリーム状組成物であり、経時的にその形態がフォーム状組成物に転移し、且つ噴出用のガスの含有量が、ガス以外の成分の含有量に対して、重量比で１：９９９〜１：９９であることを特徴とする、マッサージパック用のエアゾール化粧料。
【請求項２】
噴出用のガスの含有量が、ガス以外の成分の含有量に対して、重量比で３：９９７〜８：９９２であることを特徴とする、請求項１に記載のエアゾール化粧料。
【請求項３】
ジェルクリーム状組成物が、高級アルコールを多価アルコールの存在下、界面活性剤を用いて可溶化・ジェル化することにより得られるものであることを特徴とする、請求項１又は２に記載のエアゾール化粧料。
【手続補正２】
【補正対象書類名】明細書
【補正対象項目名】０００２
【補正方法】変更
【補正の内容】
【０００２】
【従来の技術】
エアゾール化粧料は、毛髪用化粧料やパック化粧料などに使用されている剤形であり、パック化粧料に於いては泡の密閉性を利用して、有効成分などの経皮吸収促進の目的で使用されている。しかしながら、噴出時にはジェルクリーム状であり、経時的に或いは温度の上昇や塗擦行為によってその状態がフォーム状に変わる製剤は未だ知られていなかった。一方、マッサージ化粧料は通常、摩擦係数を低くする意味で、油相成分にオイルを多く含有する、高内相水中油乳化型のエマルションが使用され、適度な力での塗擦により、この物理的刺激によって血流量を増大させ、新陳代謝を促進させる目的で使用されている。この様なマッサージ料を使用するにあたっては、過度の摩擦力が皮膚にかからないようにすることが肝要であるが、この様な程度は経験によって学び取る以外には知る方法はなかった。マッサージ料とパック料とを組み合わせた剤形の化粧料としては、ワックスを多めに含有させ、加えてタルクやカオリンなどを含有させ、密閉効果を付与させたような剤形が知られているのみであり、このものはパック料としての使用では密閉性がややもの足らず、マッサージ料としての使用では摩擦係数がやや大きい傾向にあり、簡便さのために多少の利便性を犠牲にしていることは否定しがたかった。これはマッサージとパックの重要性は知りつつも、それらの行為が手間のかかるものであり、この手間を軽減することが強く望まれている現状の裏返しと言える。一方、噴出用のガスの含有量が、ガス以外の成分の含有量に対して、重量比で１：９９９〜１：９９であるエアゾール化粧料は全く知られていなかったし、従って、このものをマッサージ料やパック料に適用することも知られていなかった。又、このような化粧料がマッサージ機能とパック機能とを併せ持たせた化粧料に好適であることも全く知られていなかった。加えて、この様な剤形においては、経時的に或いは、定量的な化粧動作により状態がジェルクリーム状よりフォーム状に変化することも知られていなかった。


【手続補正３】
【補正対象書類名】明細書
【補正対象項目名】０００５
【補正方法】変更
【補正の内容】
【０００５】
【発明の実施の形態】
本発明のエアゾール化粧料は、噴出時ジェルクリーム状であり、経時的にその形態がフォーム状に転移することを特徴とする。ここで、ジェルクリーム状とは、ジェルほどは高くないが、クリームとすれば硬度が比較的高く、透明性を有する白濁状の外観を有するものを意味し、この様な硬度としては、荷重１００ｇでアタッチメントの直径が１６ｍｍのものを装着したカードメーターを用いて２０℃で硬度を測定した場合に於いて、３０〜６０のものが好ましく例示できる。又、透明な外観とは、ドクターブレード等で１０ミル程度の薄膜を作成した場合、ジェルが濁りを全く認めず、且つ、２００〜３００倍の光学顕微鏡に於ける観察においても乳化粒子を認めないものであり、クリームが１０ミルの薄膜でも明白な乳濁を認め、光学顕微鏡観察では１０〜０．５ミリミクロン程度の乳化粒子を認めるものであるのに対し、ジェルクリームは、肉眼では白濁を認めるが、１０ミル程度では透明であり、光学顕微鏡の観察においては０．１ミリミクロン程度の大きさの粒子を認めるものを意味する。又、一方フォーム状とは、均一に組成物が気体の微細粒を含み、組成物全体の容積がボリュームアップした形態を意味し、外観としては、着色成分が存在しない状態では、白色不透明の形態を示すものを言う。この様なエアゾール化粧料は、例えば、高級アルコールを１５重量％以上の多価アルコールの存在下、マルメロエキスやクィーンシードガムなどと共に脂肪酸のポリグリセリンエステル、脂肪酸のポリエチレングリコールエステル或いは高級アルコールのポリオキシエチレンエーテルを界面活性剤として用いて、可溶化・ジェル化する事により得られるジェルクリーム組成物を低容量の噴出用のガスと共にエアゾール容器に充填・密閉することにより製造できる。ここで、前記ジェルクリーム組成物には、上記の成分以外に、通常化粧料で使用される任意の成分を含有することができる。この様な任意の成分としては、例えば、スクワラン、ワセリン、マイクロクリスタリンワックス等の炭化水素類、ホホバ油、カルナウバワックス，オレイン酸オクチルドデシル等のエステル類、オリーブ油、牛脂、椰子油等のトリグリセライド類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール等の多価アルコール類、増粘・ゲル化剤、酸化防止剤、紫外線吸収剤、色剤、防腐剤、粉体等を例示することができる。ジェルクリーム組成物の形態を取ることにより、クリームなどの乳化剤形とは異なり、転相などにより摩擦係数が変化することがないし、ジェル状のようにとまりのないのびでもないので、心地よくマッサージを行うことができる。又、このジェルクリーム組成物とともに充填するガスとしては、通常エアゾール化粧料で使用されているものであれば特段の限定を受けず使用でき、具体的には、ブタンやプロパンなどの液化天然ガス、ジメチルエーテル、フロン等のフッ化炭化水素類、炭酸ガスなどが例示できる。これらの中では、液化天然ガスを用いることが特に好ましい。本発明では、これらのガスはジェルクリーム組成物に対して低容量で含有されることが好ましく、具体的には、ジェルクリーム組成物と噴出用のガスの重量比は、９９９：１〜９９：１であることが好ましく、更に好ましくは９９７：３〜９９２：８である。これは、ガス量が多すぎると噴出物そのもの事態がフォーム状となり、マッサージ料としては適さない場合があり、ガス量が少なすぎるとフォームを形成しない場合があり、パック料としては好ましくない場合があるからである。即ち、この様な形態を取ることにより、マッサージとパックが同時に行える化粧料が得られ、これによって、従来のマッサージ料とパック料を併用する化粧料の組合せに比し、効果は維持しつつ、手間や操作は簡便にすることができる。更に加えて、ジェルクリーム組成物と噴出用のガスの重量比を９９７：３〜９９２：８にしておくと、マッサージを行って、フォームを形成した時点をマッサージの終点とすることにより、過剰なマッサージ行為を抑えることができ、誰でもが適量のマッサージを行えるという、副次的効果も発現する。言い換えれば、フォーム形成をマッサージの終了のマーカーとして使用することができる。